(57)【特許請求の範囲】
【請求項１】
リール本体の両側板間に回転自在に支持されたスプールと、前記スプールをフリー回転可能状態と釣糸巻取可能状態とに切換可能で且つクラッチ駆動用モータによって駆動されるクラッチ機構とを備えた魚釣用リールにおいて、
前記クラッチ機構は、前記クラッチ駆動用モータの一方向の回転運動をクラッチプレートの摺動する直線運動に変換することで切換操作可能であることを特徴とする魚釣用リール。
【請求項２】
前記クラッチ駆動用モータと別個に設けられ、前記スプールを回転駆動するスプール駆動用モータと、
前記スプール駆動用モータの回転運動を減速して前記スプールに伝達する減速機構と、
を備えることを特徴とする請求項１に記載の魚釣用リール。
【発明の詳細な説明】
【０００１】
【発明の属する技術分野】
本発明は、スプールを釣糸巻取可能状態とフリー回転可能状態とに切り換えるためのクラッチ機構を有する魚釣用リールに係わり、特に、クラッチ駆動用モータを使用してクラッチ機構を動作させる魚釣用リールに関する。
【０００２】
【従来の技術】
従来、釣糸繰出中にスプールの回転を停止させて釣糸巻取可能状態へ復帰させるクラッチ機構を備えた種々の魚釣用リールが知られている。
【０００３】
例えば特開平３−１８７３３３号公報には、スプールを回転駆動させるスプール駆動用モータとは別個にクラッチ駆動用モータを設け、このクラッチ駆動用モータの回転動力でクラッチ機構を動作させてスプールを釣糸巻取可能状態（クラッチＯＮ状態）とフリー回転可能状態（クラッチＯＦＦ状態）とに切り換え可能な魚釣用電動リールが開示されている。
【０００４】
また、特開平４−６６０４２号公報や特開平６−３１１８３４号公報には、スプール駆動用モータとは別個に設けられたクラッチ駆動用モータやアクチュエータ等によってクラッチのＯＮ／ＯＦＦを切り換えることができる魚釣用電動リールが開示されている。
【０００５】
【発明が解決しようとする課題】
しかしながら、前述した３つの公報のいずれも、クラッチ駆動用モータ等の正・逆回転でクラッチのＯＮ／ＯＦＦを切り換えるものであるため、モータへの給電方向を変換するための変換手段が必要となり、制御が複雑になるという問題がある。また、前記変換手段を形成する電子部品や回路も特別な構成となるため、リールの製造コストが高くなるとともに、リールの大型化・重量化を招いてしまう。
【０００６】
本発明は前記事情に着目してなされたものであり、その目的とするところは、簡単な構造および制御でクラッチ機構を動作させてスプールを釣糸巻取可能状態とフリー回転可能状態とに切り換えることができる魚釣用リールを提供することにある。
【０００７】
【課題を解決するための手段】
前記課題を解決するために、請求項１に記載された発明は、リール本体の両側板間に回転自在に支持されたスプールと、前記スプールをフリー回転可能状態と釣糸巻取可能状態とに切換可能で且つクラッチ駆動用モータによって駆動されるクラッチ機構とを備えた魚釣用リールにおいて、前記クラッチ機構は、前記クラッチ駆動用モータの一方向の回転運動をクラッチプレートの摺動する直線運動に変換することで切換操作可能としたことを特徴とする。
【０００８】
また、請求項２に記載された発明は、請求項１に記載された発明おいて、前記クラッチ駆動用モータと別個に設けられ、前記スプールを回転駆動させるスプール駆動用モータと、前記スプール駆動用モータの回転運動を減速して前記スプールに伝達する減速機構とを備えていることを特徴とする。
【０００９】
【発明の実施の形態】
以下、図面を参照しながら本発明の一実施形態について説明する。
図１に示すように、本実施形態に係る魚釣用リール１は、電動リールであり、左右両側に側板４ａ，４ｂが取り付けられたリール本体４を有している。リール本体４には、図中向かって右側に、手動ハンドルＨが取り付けられている。また、リール本体４の上側には操作パネル９３が設けられている。また、左側板４ａと右側板４ｂとの間には、釣糸が巻回されるスプール８が回転自在に支持されている。
【００１０】
スプール８の内部には、スプール８を回転駆動させるためのスプール駆動用モータ１０が収容されている。この場合、スプール駆動用モータ１０は、スプール８と同軸に配置されている。スプール駆動用モータ１０の左駆動軸１０ａには、スプール駆動用モータ１０の逆回転を防止するための一方向クラッチ９０が連結されており、また、右駆動軸１０ｂには減速機構４０が連結されている。
【００１１】
一方向クラッチ９０は、スプール駆動用モータ１０が右側板４ｂ側から見て時計回りに回転（正転駆動）した時に、フリー回転状態（駆動軸１０ａ，１０ｂを自由に回転させる状態）となってスプール８の巻き取り駆動を可能とし、手動ハンドルＨで巻き取り操作された時に、駆動軸１０ａ，１０ｂの回転が阻止されて手動ハンドルＨの動力がスプール８に伝達されるように設定構成されている。なお、以下において、時計回り、反時計回りとは、全て右側板４ｂ側から見たものとする。
【００１２】
スプール駆動用モータ１０の右駆動軸１０ｂに回り止め固定された回転部材３と右側板４ｂとの間には、スプール駆動用モータ１０の左右駆動軸１０ａ，１０ｂと同軸上に固定軸４５が回転不能に支持されている。
【００１３】
減速機構４０は、第１および第２の遊星ギヤ機構４１，４２から成り、スプール駆動用モータ１０の正転駆動時に右駆動軸１０ｂ（回転部材３）の回転運動を第１の遊星ギヤ機構４１で減速させた後、更に、第２の遊星ギヤ機構４２で減速させてスプール８に伝達するように構成されている。
【００１４】
図４に示すように、第１の遊星ギヤ機構４１は、回転部材３と一体化され且つ後述する第２の太陽歯車５５に回転可能に支持された第１の太陽歯車５０と、この第１の太陽歯車５０に噛合した複数の第１の遊星歯車５１と、これら第１の遊星歯車５１が常時噛合するようにスプール８の端面に刻設された内歯歯車５２とを備えている。
【００１５】
また、第２の遊星ギヤ機構４２は、後述する第２のキャリア６２に回転可能に支持された第２の太陽歯車５５と、この第２の太陽歯車５５に噛合した複数の第２の遊星歯車５７とを備えており、複数の第２の遊星歯車５７は内歯歯車５２に常時噛合するようになっている。
【００１６】
複数の第１の遊星歯車５１はそれぞれ第１のキャリア６０に支持されており、この第１のキャリア６０は第２の太陽歯車５５と一体回転するよう連結されている。また、複数の第２の遊星歯車５７はそれぞれ第２のキャリア６２に支持されており、この第２のキャリア６２はスプール８に取り付けられたブラケット６４に回転可能に保持されている。なお、ブラケット６４は軸受６５を介して右フレーム４ｂに回転可能に支持されている。
【００１７】
また、スプール８をフリー回転状態と釣糸巻取り状態に切換可能なクラッチ機構は、固定軸４５に沿ってスライド可能なピニオン４８を備えており、減速機構４２（第２のキャリア６２）に対して係合または非係合させることができるようになっている。
【００１８】
ピニオン４８には、その外周面に円周溝４８ａが形成されており、この円周溝４８ａには、後述するクラッチのＯＮ／ＯＦＦ切換操作によってピニオン４８を固定軸４５に沿ってスライドさせることが可能なスライド片５２が係合している。このスライド片５２は、クラッチプレート７２の摺動によって軸方向に移動される。
【００１９】
図２および図３に詳しく示すように、スライド片５２は、固定軸４５の軸方向に延出した一対のガイド棒４６にガイドされながら、固定軸４５の軸方向にスライドするようになっている。また、クラッチプレート７２は、矢印Ｄ１，Ｄ２方向に摺動自在にフレームに支持されており、その表面には、スライド片５２と係合する傾斜カム７２ａが形成されている。また、クラッチプレート７２の端部には長孔７２ｂが形成されている。
【００２０】
図１および図２に示されるように、魚釣用リール１のリール本体４の内部には、スプール８よりも前方側（操作パネル９３側）であって、釣糸をスプール８に平行巻きするレベルワインド機構の釣糸案内環（図示せず）の下側（真下あるいは斜め下方も含む）に、前記クラッチ機構を動作させるためのクラッチ駆動用モータ２が収容されている。このクラッチ駆動用モータ２の駆動軸には円形プレート９１が固定されており、円形プレート９１には、クラッチプレート７２の長孔７２ｂと係合するボス９１ａが突設されている。
【００２１】
図１に示されるように、ピニオンギヤ４８には、ハンドル軸５４に取り付けられたドライブギヤ５６が噛合しており、このドライブギヤ５６とハンドル軸５４との間には、実釣時にスプール８を釣糸繰出方向へ回転させる際に、スプール８の回転に所望の制動力を与えることが可能な周知のドラグ機構５８が配置されている。
【００２２】
また、ハンドル軸５４の基端部には、スプール駆動用モータ１０によってスプール８を釣糸巻取方向に回転させた際に、これに連動してハンドル軸５４が回転しないように、逆転防止機構が設けられている。
【００２３】
この逆転防止機構は、外周面にラチェット爪６０ａが所定ピッチで形成されたラチェット６０と、ラチェット爪６０ａに対して一定の付勢力で常時係合しているストッパ１６２とを備えており、ラチェット６０は、ハンドル軸５４に回り止め嵌合されている。
【００２４】
このような逆転防止機構によれば、スプール駆動用モータ１０によってスプール８を釣糸巻取方向に回転させる際には、ラチェット爪６０ａにストッパ１６２が係合することによって、スプール駆動用モータ１０の回転に連動してハンドル軸５４が回転するのを防止することができ、スプール駆動用モータ１０の動力が減速機構４０を介してスプール８に伝達される（図２および図３において、反時計回りの回転）。これに対して、手動ハンドルＨの回転操作によってスプール８を釣糸巻取方向に回転させる際には、手動ハンドルＨの回転操作に連動してハンドル軸５４を回転させることができる（図２および図３において、時計回りの回転）。
【００２５】
次に、上記構成の魚釣用リール１の実釣時における動作を説明する。
まず、リール本体４の上側（釣り人に対向する面）に搭載された操作パネル９３を操作すると、クラッチＯＮ状態（ピニオン４８が減速機構４２の第２のキャリア６２に係合した状態；釣糸巻取可能状態）と、クラッチＯＦＦ状態（ピニオン４８が第２のキャリア６２に非係合した状態；スプール８のフリー回転可能状態）とを選択的に切り換えることができる。すなわち、クラッチ機構をＯＮ／ＯＦＦ切換制御することができる。
【００２６】
例えば、図２および図３に示されるクラッチＯＮ状態で、操作パネル９３上の対応する操作スイッチを押すと、クラッチ駆動用モータ２の駆動軸が一方向に回転し、この回転に伴って円形プレート９１とこれに突設されたボス９１ａとが矢印Ｒ方向（図２および図３参照）に１８０°回転する。この時、ボス９１ａが、長穴７２ｂに沿って摺動しながら同時に、円形プレート９１の回転運動を、矢印Ｄ１方向の直線運動に変換してクラッチプレート７２に伝達する。
【００２７】
クラッチプレート７２が矢印Ｄ１方向にスライドすると、これに伴い、スライド片５２は、傾斜カム７２ａによって、スライド片５２を付勢している付勢手段（図示せず）に抗して持ち上げられ（一対のガイド棒４６に沿って軸方向にスライドし）、ピニオンギヤ４８がキャリヤ６２に対して非係合状態となる。これにより、スプール８はフリー回転可能状態に維持され、この状態において、釣糸は仕掛けの自由落下によってスプール８から繰り出される。
【００２８】
なお、本実施形態では、クラッチプレート７２の位置を検出するための位置検出装置が設けられている。この位置検出装置は、図２および図３に示されるように、クラッチプレート７２に取り付けられた磁石７２ｃと、磁石７２ｃと対向するリール本体４の部位に設けられた磁気センサ８０，８０とから成り、クラッチＯＦＦ状態におけるクラッチプレート７２の位置を磁気的に検出することにより、クラッチ駆動用モータ２にこれを停止させるための停止信号を送出する。これにより、クラッチＯＦＦ状態が保持される。
【００２９】
一方、このクラッチＯＦＦ状態からクラッチＯＮ状態へ切換える場合には、操作パネル９３上の対応する操作スイッチを押せば良い。これにより、クラッチ駆動用モータ２の駆動軸は、前述したクラッチＯＮ状態からクラッチＯＦＦ状態への切換時と同じ方向に回転し、円形プレート９１とこれに突設されたボス９１ａとを矢印Ｒ方向（図２および図３参照）にさらに１８０°回転させる。したがって、ボス９１ａは、長穴７２ｂに沿って摺動しながら同時に、円形プレート９１の回転運動を、矢印Ｄ２方向の直線運動に変換してクラッチプレート７２に伝達する。このようにクラッチプレート７２が矢印Ｄ２方向にスライドすると、これに伴い、スライド片５２は、傾斜カム７２ａから離脱するとともに、スライド片５２を付勢している付勢手段（図示せず）によって元の位置まで軸方向にスライドする。そのため、ピニオンギヤ４８がキャリヤ６２に対して係合し、クラッチＯＮ状態（図４参照）に切り換えられるとともに、このクラッチＯＮ状態は前記位置検出装置の検出信号に基づいてクラッチ駆動用モータ２が停止されることにより保持される。
【００３０】
なお、本実施形態では、クラッチプレート７２の移動位置を検出することによりクラッチ駆動用モータ２の回転を１８０°毎に停止制御しているが、この制御を実現するための他の方法としては、例えば、モータ２の回転数を電気的または磁気的にカウントする方法や、モータ２への電流値の出力状態を監視してこの電流値が所定値を越えた場合に電流出力を停止する方法等を挙げることができる。
【００３１】
また、クラッチＯＮ状態で魚の当たりを待ち、魚が当たった場合には、手動ハンドルＨを回転操作するか、または、スプール駆動用モータ１０を正転駆動させることによって釣糸をスプール８に均一に巻き取ることができる。
【００３２】
クラッチＯＮ状態で手動ハンドルＨを時計回りに回転操作すると、ピニオン４８およびこれに嵌合されたキャリヤ６２が反時計回りに回転駆動される。この時、遊星歯車１５７は反時計回りに自転すると共に公転し、内歯歯車５２を反時計回りに増速した状態で回転駆動する。これにより、スプール８は、釣糸巻取り方向に回転駆動される。なお、内歯歯車５２の反時計回りの回転駆動により、第１の太陽歯車５０は時計回りに回転しようとするが、その回転駆動は、モータ１０に対して反対側に位置する一方向クラッチ９０によって規制される。
【００３３】
また、手動ハンドルＨによらず、スプール駆動用モータ１０を正転駆動（時計回り）させると、第１の太陽歯車５０は時計回りに回転駆動される。この回転駆動により、遊星歯車５１は、反時計回りに回転すると共に時計回りに公転し、第２の太陽歯車５５が時計回りに回転する。この回転方向では、前述した逆転防止機構によってハンドル軸５４の回転が規制されているため、ハンドル軸５４にドライブギヤ５６を介して連結したピニオンギヤ４８の回転（時計回りの回転）も規制される。その結果、ピニオンギヤ４８が係合した第２のキャリア６２は、回転することなく一定位置に静止した状態に維持される。
【００３４】
したがって、第２の太陽歯車５５が時計回りに回転した際、第２のキャリア６２に回転可能に支持された複数の遊星歯車５７は、第２の太陽歯車５５の回りを公転することなく一定位置で反時計回りに自転する。
【００３５】
この状態において、複数の遊星歯車５７の反時計回りの回転運動は、スプール８の端面に刻設された内歯歯車５２に減速されて伝達され、この内歯歯車５２を反時計回りに回転させる。そして、これに伴ってスプール８は、釣糸巻取方向（反時計回り）に回転する。この結果、釣糸は、図示しない釣糸案内機構を介してスプール８に均一に巻き取られる。なお、このような電動巻取時には、前記逆転防止機構が機能しているため、手動ハンドルＨが連動して高速で回転することはない。
【００３６】
以上説明したように、本実施形態の魚釣用リール１は、クラッチ機構をクラッチ駆動用モータ２の一方向の回転で切り換え操作することができるため、モータ２への給電方向を変換するための変換手段が不要となり、制御が簡単になる。また、前記変換手段を形成する電子部品や回路も不要となるため、リールの製造コストを低く抑えることができるとともに、リールの小型化・軽量化を図ることができる。
【００３７】
また、本実施形態において、クラッチ駆動用モータ２は、スプール８よりも前方側（操作パネル９３側）であって、釣糸をスプール８に平行巻きするレベルワインド機構の釣糸案内環（図示せず）の下側に設けられている。したがって、レベルワインド機構の下側のデッドスペースを有効利用できるとともに、前記釣糸案内環によってしごかれる釣糸の水滴がモータ２のケースに落ちてモータ２を積極的に冷却することができる。
【００３８】
なお、本発明は、前記実施形態に限定されることなく、その要旨を逸脱しない範囲で種々変形実施できることは言うまでもない。例えば、前述した実施形態では、本発明を電動リールに適用した例を示しているが、非電動リール（手動リール）に適用することも可能である。また、前述した実施形態では、スプール駆動用モータ１０がスプール８内に収容されている例が示されているが、スプール駆動用モータ１０がスプール８の外側に設けられていても良い。また、クラッチ駆動用モータ２の配置位置は、リール本体４の側板４ａ，４ｂ間でも、また、側板４ｂ内でも良く、クラッチ機構に連結できる位置であればどのような位置であっても良い。
【００３９】
【発明の効果】
以上説明したように、本発明の魚釣用リールによれば、簡単な構造および制御でクラッチ機構を動作させてスプールを釣糸巻取可能状態とフリー回転可能状態とに切り換えることができる。
【図面の簡単な説明】
【図１】本発明の一実施形態に係る魚釣用リールの後側から見た断面図である。
【図２】図１の魚釣用リールのクラッチ機構を右側板側から見た断面図である。
【図３】図２のクラッチ機構の拡大図である。
【図４】図１の魚釣用リールの減速機構の拡大断面図である。
【符号の説明】
１…魚釣用リール
２…クラッチ駆動用モータ
４…リール本体
４ａ，４ｂ…側板
１０…スプール駆動用モータ
１４…減速機構
【図１】
0003579319.tif 000002
【図２】
0003579319.tif 000003
【図３】
0003579319.tif 000004
【図４】
0003579319.tif 000005